(57)【特許請求の範囲】
【請求項１】
コネクション型通信ネットワークにおいて使用可能でかつ高優先度データ流又は低優先度データ流を特徴付けるサービス品質特徴を、コネクションレス型通信ネットワークへマッピングするための方法において、
ａ）コネクション型通信ネットワークからの第１の低優先度データ流をコネクションレス型通信ネットワークへ透過的に伝送し、
ｂ）コネクション型通信ネットワークからの第１の高優先度データをコネクションレス型通信ネットワークへ透過的に伝送し、
ｃ）コネクションレス型通信ネットワークからの第２の低優先度データ流をコネクション型通信ネットワークへマッピングし、その際コネクションレス型通信ネットワークのアドレスからコネクション型通信ネットワークのアドレスへのアドレス変換を実施し、
ｄ）コネクションレス型通信ネットワークからの第２の高優先度データ流をコネクション型通信ネットワークへマッピングし、その際に、
前記第２の高優先度データ流がシグナリングパケットである場合には、コネクションレス型通信ネットワークからの当該シグナリングパケットのシグナリング情報を、コネクション型通信ネットワークにおいて使用可能なシグナリング情報に変換し、
前記第２の高優先度データ流が情報パケットである場合には、コネクション型通信ネットワークへの透過的な伝送を実施することを特徴とする方法。
【請求項２】
シグナリングパケットからのコネクションレス型通信ネットワークにおいて使用可能なサービス品質パラメータの、コネクション型通信ネットワークへの変換が以下のステップで実施される、すなわち、
ａ）可用な全帯域幅のうちから、新たな接続に適した帯域幅を決定し、
ｂ）コネクションレス型通信ネットワークのアドレスから、アドレス変換により、コネクション型通信ネットワークの適切なアドレスを決定し、
ｃ）適した帯域幅が得られてコネクション型通信ネットワークにおけるアドレスが既知である場合には、新たな接続を構築し、
適した帯域幅が得られないか又はコネクション型通信ネットワークにおけるアドレスが未知である場合には、予め設定可能なエラー通知が示される、
請求項１記載の方法。
【請求項３】
前記コネクション型通信ネットワークは、ＡＴＭネットワークであり、前記コネクション型通信ネットワークのアドレスはＡＴＭアドレスである、請求項１または２記載の方法。
【請求項４】
前記コネクションレス型通信ネットワークは、ローカルエリアネットワーク（ＬＡＮ）であり、該ローカルエリアネットワーク（ＬＡＮ）は、高優先度データ流と低優先度データ流を区別し得るデータ品質特徴に関して拡張され得るものであり、前記コネクションレス型通信ネットワークのアドレスは、ＬＡＮアドレスである、請求項１から３いずれか１項記載の方法。
【請求項５】
前記アドレス変換が以下のステップで実施され、すなわち
ａ）ＬＡＮアドレスに対してＬＡＮサーバーからのＡＴＭアドレスが求められるか、又は
ｂ）局所的にＡＴＭアドレスが使用不能な場合にＡＴＭサーバーにおいて問合せを実施し、その際の応答としてＡＴＭサーバーからＡＴＭアドレスを転送する、請求項３または４記載の方法。
【請求項６】
コネクションレス型通信ネットワークにおいて使用可能でかつ高優先度データ流又は低優先度データ流を特徴付けるサービス品質特徴を、コネクション型通信ネットワークへマッピングするための方法において、
ａ）コネクションレス型通信ネットワークからの第１の低優先度データ流をコネクション型通信ネットワークへ透過的に伝送し、
ｂ）コネクションレス型通信ネットワークからの第１の高優先度データをコネクション型通信ネットワークへ透過的に伝送し、
ｃ）コネクション型通信ネットワークからの第２の低優先度データ流をコネクションレス型通信ネットワークへマッピングし、その際コネクション型通信ネットワークのアドレスからコネクションレス型通信ネットワークのアドレスへのアドレス変換を実施し、
ｄ）コネクション型通信ネットワークからの第２の高優先度データ流をコネクションレス型通信ネットワークへマッピングし、その際に、
前記第２の高優先度データ流がシグナリングパケットである場合には、コネクション型通信ネットワークからの当該シグナリングパケットのシグナリング情報を、コネクションレス型通信ネットワークにおいて使用可能なシグナリング情報に変換し、
前記第２の高優先度データ流が情報パケットである場合には、コネクションレス型通信ネットワークへの透過的な伝送を実施することを特徴とする方法。
【発明の詳細な説明】
【０００１】
本発明は、コネクション型通信ネットワークにおいて使用可能でかつ高優先度データ流又は低優先度データ流を特徴付けるサービス品質特徴を、コネクションレス型通信ネットワークへマッピングするための方法及びその逆の方法に関する。
【０００２】
ローカルエリアネットワーク“Local Area Network”（以下では単にＬＡＮとも称する）は、公知文献“Gerd Sigmund著:Grundlagen der Vermittlungstechnik,2.Auflage,v.Decker,Heidelberg 1992,ISBN 3-7685-4892-9,P177-185”から公知である。このＬＡＮではデータが、データパケット（限られた長さのデータ）の形態で転送される。この場合これらのデータパケットにはソースアドレスと宛先アドレスが含まれ、先行する接続形成なしで自発的に転送される（コネクションレス型通信）。
【０００３】
サービス品質特徴は、所定の通信ネットワーク毎に特徴付けられる多数の可能なオプションで構成されたオプションを表わしている。例えばその名目のもとでは通信ネットワークの作動モードや付加的なサービスが当てはまる。ＡＴＭネットワークのサービス品質特徴は、相応に確かな転送の要求されない低優先度データ流から、所定の基準に従ってより確かな転送が要求される高優先度データ流の伝送に対する識別子である。
【０００４】
透過的な伝送あるいは透過的データ流とは、その内容が分析なしで伝送されることを意味している。すなわちまず最初に目標システムにおいて制御情報とデータの内容の変換が行われる。このことは、当業者にはよく知られているＩＳＯ（国勢標準化機構）規格によるＯＳＩ階層モデルの考察に相応する。この階層状の考察は、通信技術の範疇においてＯＳＩ階層モデルの側でも有利であり慣用のものである。
【０００５】
ＡＴＭ（Asynchronous Transfer Mode)ネットワークは、公知文献“Gerd Sigmund :Vermittlungstechnik,2.Auflage,v.Decker,Heidelberg 1992,ISBN 3-7685-4892-9,P420-428”から公知である。このＡＴＭネットワークは、コネクションの方向付けによって動作しており、つまりデータの伝送が、コネクションの構築、情報の伝送、コネクションの解除からなっている。このさらなる詳細は当該公知文献にも記載されているし、その他の多くの情報源や相応の標準化機構からもわかる。
【０００６】
例えばイーサーネットやＡＴＭネットワークへのトークンリングを接続するＬＡＮも公知である。この場合には、ＬＡＮの規格における所定の変更が行われ、これはＬＡＮエミュレーション（以下では単にＬＡＮＥとも称する）との関連で説明する。これの詳細な情報は、ＡＴＭフォーラムでの相応のＬＡＮＥ規格に示されている（以下の公知文献参照）。
【０００７】
公知文献“ATM Forum；LAN Emulation over ATM V1.0,ATM Forum LANE-0021.000,January 1995,insbesondere Kapitel 7(P.86-96) or Kapitel 8(P96-102)”に記載されているＬＡＮＥは次のような欠点を有している。すなわちサービス品質特徴QoS(“Quality of Service”)の有効利用が不可能である欠点を有している。そのようなサービス品質特徴は、例えばイーサーネットに接続されたＬＡＮにおいては使用不可なので、データ流の種々異なる処理、すなわちＡＴＭネットワークにおいては慣用である低優先度データ流と高優先度データ流の間の区別などが不可能である。
【０００８】
しかしながら現下の段階では、ＬＡＮ内部においてそのような低優先度のデータ流と高優先度のデータ流の区別が可能であるように従来のＬＡＮないしＬＡＮＥを拡張することも不可能ではなくなっている。そのような拡張は、１９９７年３月４日付けの特許出願 PCT/DE97/00404 明細書に記載されており、以下の明細書でも統合的に説明する。この種の拡張ＬＡＮは以下の明細書ではＬＡＮＥ２とも称する。
【０００９】
しかしながらこれまでは、ＬＡＮＥ２とＡＴＭネットワークの間の各伝送においてはサービス品質特徴が失われていた。
【００１０】
本発明の課題は、コネクション型通信ネットワークにおいて使用可能なサービス品質特徴、詳細には高優先度データ流と低優先度データ流の間の区別を、コネクションレス型通信ネットワークへマッピングさせる手法及びその逆の手法を実現させることである。
【００１１】
この課題は請求項１の特徴部分に記載の本発明によって解決される。
【００１２】
本発明によれば、コネクション型通信ネットワークにおいて使用可能なサービス品質特徴が、コネクションレス型通信ネットワークへマッピングされる。例えばコネクション型通信ネットワークに対しては前述したようなＡＴＭネットワークが該当し、コネクションレス型通信ネットワークに対しては前述したような相応の拡張性を備えたＬＡＮＥが該当する。
【００１３】
第１の低優先度データ流又は第１の高優先度データ流は、コネクション型通信ネットワークから透過的に、コネクションレス型通信ネットワークへ伝送される。第２の低優先度データ流は、コネクションレス型通信ネットワークからコネクション型通信ネットワークへ伝送され、この場合コネクションレス型通信ネットワークのアドレスのアドレスからコネクション型通信ネットワークのアドレスへのアドレス変換が実施される。第２の高優先度データ流は、コネクションレス型通信ネットワークからコネクション型通信ネットワークへマッピングされ、その際に、第２の高優先度データ流がシグナリングパケットである場合には、コネクションレス型通信ネットワークからの当該シグナリングパケットのシグナリング情報が、コネクション型通信ネットワークにおいて使用可能なシグナリング情報に変換され、また、第２の高優先度データ流が情報パケットである場合には、コネクション型通信ネットワークへの透過的な伝送が実施される。
【００１４】
本発明のさらなる改善例によれば、コネクションレス型通信ネットワークにおいて使用可能なサービス品質パラメータの、コネクション型通信ネットワークへの変換が以下のステップで実施される。すなわち、
ａ）可用な全帯域幅のうちから、新たな接続に適した帯域幅が決定され、
ｂ）コネクションレス型通信ネットワークのアドレスから、アドレス変換により、コネクション型通信ネットワークの適切なアドレスが決定され、
ｃ）適した帯域幅が得られてコネクション型通信ネットワークにおける所属の加入者のアドレスが既知である場合には、新たな接続が構築される。
【００１５】
別の有利な実施例によれば、前記コネクション型通信ネットワークは、ＡＴＭネットワークであり、前記コネクション型通信ネットワークのアドレスはＡＴＭアドレスである。
【００１６】
さらに別の有利な実施例によれば、コネクションレス型通信ネットワークがＬＡＮであり、この場合該コネクションレス型通信ネットワークのアドレスはＬＡＮアドレスである。このＬＡＮは、冒頭に述べたような、高優先度/低優先度データ流のサービス品質特徴に関して拡張された変化例ＬＡＮＥ２に相応する。
【００１７】
またさらなる別の改善例は、ＬＡＮからＡＴＭネットワークへのアドレス変換に関する。予め設定可能なＬＡＮアドレスに対しては、ＡＴＭアドレスが該当し、この場合、ＡＴＭアドレスがＬＡＮＥサーバーに対して、あるいは特別に構築されたコネクションを介して全ての隣接ポイントに対して可用となる。
【００１８】
本発明の別の有利な実施例は、従属請求項に記載されている。
【００１９】
実施例
次に本発明を図面に基づき以下の明細書で詳細に説明する。この場合、
図１には、ＡＴＭネットワークからＬＡＮへの（及びＬＡＮからＡＴＭへの）サービス品質特徴のマッピングのようすが論理ブロック回路で示されており、
図２には、通信関連の一部に相応する３つの装置が階層モデル（ＩＳＯによる）で示されており、
図３には、イーサーネット標準の種々のプロトコルフォーマットとＲＭＡＣによるその拡張が示されている。
【００２０】
高優先度データ流と低優先度データ流の区別のためのＬＡＮ標準の周知の拡張性の説明（特許出願 PCT/DE97/00404参照）
以下では先に述べた特許出願 PCT/DE97/00404 (04.03.1997) 明細書の内容をとりまとめて述べる。
【００２１】
図２には、第１の装置Ａ１と、第２の装置Ａ２と、第３の装置Ａ３が示されており、この場合第１の装置Ａ１と第２の装置Ａ２は、チャネルＫ１を介して接続されており、第２の装置Ａ２と第３の装置Ａ３は、チャネルＫ２を介して接続されている。この場合第１の装置Ａ１も第３の装置Ａ３もイーサーネット標準に従って動作する端末装置を表わしている。第２の装置は、イーサーネットの中継点である（イーサーネットスイッチ）。チャネルＫ１とチャネルＫ２を介して、データパケット（情報パケット及び/又はシグナリングパケット）が転送される。
【００２２】
図２ではイーサーネット標準に従って、ＩＳＯ（国際標準化機構）に準拠して標準化された階層が各装置毎に示されている。チャネルＫ１とＫ２の結合は、物理想ＰＨＹ（ビット転送層）を介して行われる。この物理想ＰＨＹの上にはイーサーネット層ＭＡＣ（“Media Access Control”)が存在しており、この層は標準化されたイーサーネットプロトコルの機能性を保証する。
【００２３】
イーサーネット標準の拡張は、イーサーネット層ＭＡＣとさらなる上位層ＨＬ（ネットワーク及びトランスポートプロトコル、例えばＴＣＰ／ＩＰ(“Transport Control Protocol/Internet Protocol”)又はＵＤＰ／ＩＰ(“User Datagramm Protocol/Internet Protocol”)）の間へのＲＭＡＣ（“Realtime Media Access Control”)層の挿入による。
【００２４】
図２の第２の装置Ａ２は、イーサーネット中継点であり、上位層ＨＬは有していない。なぜなら中継機能に対してそれは必要ないからである。
【００２５】
ＲＭＡＣ層では、例えばサービス、データパケットに優先度クラスが対応付けられている。この場合データパケットが相応にマーキングされ、引続き転送される。受信器、例えば第３の装置Ａ３は、データパケットの優先度クラスを求め、場合によってはこのデータパケットをさらに転送するか又はデータパケット内に含まれている情報を上位層ＨＬに透過的に提供する。
【００２６】
有利には以下の４つの優先度クラスに大別される。：
１. 第１の優先度クラスＰＫ０は、コネクションレス型のデータ転送に適している。このデータパケットは、接続形成並びに転送の達成に対する保証なしで伝送される（確認応答なし）。第１の優先度クラスＰＫ０は、データパケットに対応付け可能な最も低い優先度を表わしている。
【００２７】
２. 第２の優先度クラスＰＫ２は、コネクション型の伝送に相応し、ここではデータパケットの転送の際の制御された遅延が統計的平均において保証され、以下のサービス特徴が実現されている、すなわち、
−接続に必要な帯域幅（これは接続形成中に定まる）の保証
−データパケット転送の際の平均遅延が、通信ネットワークの負担が大きい場合でも優先度クラスＰＫ０の対応付けられたデータパケットの遅延よりも悪くない
−（優先度クラスＰＫ１を備えた）データパケットの最大遅延が、優先度クラスＰＫ０の遅延よりも少ない
−優先度クラスＰＫ１のデータパケットの転送の際の損失レートが通信接続の接続形成に調和する条件が維持されている限りは著しいものではない。
【００２８】
３. 第３の優先度クラスＰＫ２はコネクション型の転送に該当する。それに対しては以下のサービス特徴が設けられる、すなわち、
−大抵のデータパケットが完全に転送される
−大抵のデータパケットに対して所定の閾値によって定められる最大遅延時間を上回ることはない。
【００２９】
４. 第４の優先度クラスＰＫ３も、コネクション型の転送に対して設けられるものであり、これはデータパケットに対応付け可能な最大の優先度である。この場合はいずれにせよより確かな転送を保証する以下のサービス特徴が設けられている、すなわち、
−接続形成中に決定される帯域幅が転送のために準備される
−所定の最大遅延時間が保証される
−バッファメモリ中のオーバーフローに基づくデータパケットの損失は生じないそれにより、通信ネットワークが崩壊しない限りは、データパケットの優先度クラスＰＫ３に対する対応付けの際により確かで可及的に迅速な転送がベースとされる。
【００３０】
当面のＬＡＮとＡＴＭネットワークの間の接続に関しては２つの優先度クラスのみで区別が行われる。この場合より高い優先度を備えたデータは、高優先度データ流と称し、より低い優先度を備えたデータは、低優先度データ流と称する。
【００３１】
前述したデータパケットに対する優先度クラスの対応付けに相応してデータパケットの識別子の対応付けも行われる。その場合イーサーネット標準で定められたフォーマットには、相応のＲＭＡＣコンセプトに対する拡張が伴っている。
【００３２】
図３には、種々異なるフォーマットのデータパケットが様々な内容（及び機能性）と共に示されている。
【００３３】
図３のａには、イーサーネット標準で定められたデータパケットが以下のフィールドで示されている：すなわち、
−宛先アドレスフィールドＤＡ（“Destination Adress”)
−送信側アドレスフィールドＳＡ（“Source Address”)
−フィールドＴＹＰＥ：
このフィールドＴＹＰＥは、整数であり、有利には２つのオクテットの長さを有している。その値に応じて、このフィールドＴＹＰＥの意味は種々異なって解釈される、すなわち、
−−ＴＹＰＥ＜１５００：長いフィールドとしての解釈（ＬＬＣ“Logical Link Control”フォーマットに相応するデータパケット）
−−ＴＹＰＥ≧１５００：タイプ情報としての解釈（ネットワークプロトコルに対するコード）
−フィールドＩＮＦＯにはさらなるサービス特徴又はデータないしシグナリング情報が含まれており、これらは通常は透過的により高い階層ＨＬに転送される
−フィールドＦＣＳには、エラー補正のためのチェックサムが含まれている。
【００３４】
ＬＬＣ(“Logical Link Control”)フォーマットは図３のｃに示されており、前述したフィールドの他にもさらに以下に記載するフィールドが含まれている。
【００３５】
−フィールドＬＥＮは、長いフィールドに相応する（図３ａからのフィールドＴＹＰＥは１５００よりも小さい値を含んでおり、それによってこのフィールドＴＹＰＥはフィールドＬＥＮに移る）
−フィールドＤＳＡＰ（“Destination Service Access Point”)は受信側のサービスアクセスポイントを表わしている
−フィールドＳＳＡＰ（“Source Service Access Point”)には、送信側のサービスアクセスポイントが含まれる
−フィールドＣＯＮＴＲＯＬは、１つ又は２つのオクテットを含み、特別な命令/応答機能のために用いられ、その際シーケンスナンバは情報の順序を保証する。
【００３６】
イーサーネット標準のＲＭＡＣコンセプトに関する拡張例の１つは、図３のｂに示されている。そこではフィールドＴＹＰＥに優先度マークＰＭがプロットされており、これは優先度クラスＰＫｉ（ｉ＝０,１,２,３）を一義的に同定する。
【００３７】
最も低い優先度クラスＰＫ０のデータパケットには有利には、優先度マークが付されない。これらはイーサーネット標準に従って不変のまま転送される。
【００３８】
さらに図３のｂにはフィールドＦＩＤ（フロー識別子）が示されている。このフロー識別子は、送信側の装置を一義的に識別する。それ故にこのフィールドＦＩＤを備えたデータパケットの受信側では、有利には上位層ＨＬで、送信側上位層ＨＬに対する関係を構築する。
【００３９】
このデータパケットは、情報パケット又はシグナリングパケットであり得る。
【００４０】
図３のｃとｄにはそのようなシグナリングパケットが示されており、この場合図３のｄには、図３ｃのイーサーネット標準に対するＲＭＡＣコンセプトの趣旨での拡張が示されている。この優先度マークＰＭは、フィールドＤＳＡＰに含まれている。優先度マークＰＭは、付加的な優先度情報を備えたＤＳＡＰないしＳＳＡＰ情報でもある。図３ｄの個々のフィールドの記号の意味は前述の実施例から明らかである。
【００４１】
本発明の実施例
イーサネットもしくはトークンリンク（ＬＡＮ）に含まれるデータ流は、ＡＴＭネットワークへの移行の際にも所定のサービス品質特徴に応じて処理されるべきである。図１には、前述した趣旨（ＲＭＡＣ）に沿って拡張された従来のＬＡＮからＡＴＭネットワークへのサービス品質特徴のマッピングに対する一般的なアーキテクチャが示されている。この場合図１では論理機能が、ハードウエアコンポーネントでの分散配置及び/又はソフトウエアコンポーネントでの分散配置に由来することなくブロック回路図で統合的に示されている。このような分散配置の形態は、そのつどの具体的な適用ケースにゆだねられ、相応の変更が可能である。
【００４２】
以下ではこの図１に基づいて個々のコンポーネント（ブロック）の説明を行う。ブロックＤＦ（“Data Forwarder”)は、高優先度データ流と低優先度データ流の間の区別を行う。低優先度データ流の場合には、継続処理がブロックＬＥＣ（“LAN Emulation Client”)において続けられる（以下の明細書参照）。それに対して高優先度データ流の場合には、継続処理がブロックＴＥＴＡＳ（“Transparent Ethernet to ATM Slot”)において続けられる。それ以外で情報パケットの場合とシグナリングパケットの場合には、ブロックＲＭ（“Resource Manager”) において継続処理が開始される。
【００４３】
このブロックＲＭでは、リソース、例えば帯域幅などが管理される。この目的は、リソースの正しい設定を保証することである。それに対して当該ブロックＲＭではシグナリングパケットに含まれるＬＡＮ、有利にはＲＭＡＣプロトコルからのサービス品質特徴が、次のように適合化される。すなわちＡＴＭネットワークにおいてこのサービス品質特徴が変換されそれによってＡＴＭネットワークにて使用可能となるように適合化される。
【００４４】
（ＬＡＮからＡＴＭネットワークへの）接続の構築は不可能である。そのため相応のメッセージが接続を要求するシステムに転送される（エラー処理）。
【００４５】
リソース（チャネル、帯域幅）が使用可能であるならば、相応のサービス品質パラメータと共に接続が構築される。それに対してＡＴＭ側での宛先を検出するために、ＬＡＮアドレスがＡＴＭアドレスに変換される。ＡＴＭアドレスが局所的に使用不可であるならば、これはブロックＡＲＵ(“Address Resolution Unit”)によって求められなければならない。
【００４６】
ブロックＬＥＣにおいて低優先度のパケットに対する全ての操作が、ＬＡＮＥ規格の一致において実施される。それにより、標準化されたＬＡＮ拡張に対する融通性を、ＡＴＭ標準のサービス品質特徴への適合化なしで有するようになることが保証される。ブロックＬＥＣは、固有のリソースを管理する。この場合自己管理されたリソースはブロックＲＭに通達される。
【００４７】
ブロックＴＥＴＡＳでは、情報パケットがＬＡＮからＡＴＭネットワークへそしてＡＴＭネットワークからＬＡＮへ透過的に転送される。
【００４８】
最終的に前述したようなアドレス変換がブロックＡＲＵで行われる。そこではＭＡＣ（“Media Access Control”)アドレスは、ＡＴＭアドレスへ変換される。このアドレス変換は、２つの段階で行われる。すなわち第１段階においては、標準化されたＬＡＮＥアドレス分解能を実施するために、ＬＡＮのサーバーコンポーネントへのアクセスが行われる。アドレス情報がＬＥＳから何も戻されない場合には、第２段階においてＡＴＭ側、有利にはそこの接続箇所において、相応のＡＴＭアドレスが要求される。これに対しては所望のＭＡＣアドレスが直接Ｂ−ＨＬＩ（“Broadband High Layer Information”)−フィールドにおいてセットアップメッセージの６〜１１のオクテットでコード化される（公知文献“ATM Forum: ATM User-Network Interface,Version 3.1.”参照）。ＭＡＣアドレスが既知である中継箇所においてのみ、接続が受入れられる。その他の全ての中継箇所は接続を拒否される。
【００４９】
ブロックＳＩＧ(“Signalisierung”)とブロックＡＴＥＭＰＳ(“ATM Protocol Stack”)は、ＡＴＭサイドを表わしており、この場合はブロックＡＴＭＰＳが、ＡＡＬ−５階層を含めて標準化されたＡＴＭ階層を含んでいる（公知文献“ITU-T: I. 363 B-ISDN ATM Adaptaion Layer(AAL)”参照）。ブロックＳＩＧはシグナリングプロトコルＱ.２９３１とＳＳＣＯＰ（公知文献“ITU-T: Q.2931 Digital Subscriber Signalling System No.2-User-Network-Interface(UNI)layer3 specification for basic call/connection control”“ITU-T: Q. 2110 B-ISDN signalling ATM adaptation layer-service specific connection oriented protocol(SSCOP)”参照）。
【図面の簡単な説明】
【図１】  ＡＴＭネットワークからＬＡＮへの（及びＬＡＮからＡＴＭへの）サービス品質特徴のマッピングを論理ブロック回路で示した図である。
【図２】  通信関連の一部に相応する３つの装置を階層モデル（ＩＳＯによる）で示した図である。
【図３】  イーサーネット標準の種々のプロトコルフォーマットとＲＭＡＣによるその拡張を示した図である。
【図１】
0004181303.tif 000002
【図２】
0004181303.tif 000003
【図３】
0004181303.tif 000004